(57)【要約】【課題】小型かつ軽量で光照射範囲を拡大することが可能な光学素子および光源装置を提供する。【解決手段】光が入射する光入射面（１１ａ）と、光が到達する光取出面（１１ｂ）とを有する導光部（１１）と、光取出面（１１ｂ）上に設けられた体積位相ホログラフィックグレーティング（１３）と、体積位相ホログラフィックグレーティング（１３）上に設けられた回折格子部（１２）を備える光学素子。【選択図】図１
2020181005.tif 000002
【特許請求の範囲】
【請求項１】
光が入射する光入射面と、前記光が到達する光取出面とを有する導光部と、
前記光取出面上に設けられた体積位相ホログラフィックグレーティングと、
前記体積位相ホログラフィックグレーティング上に設けられた回折格子部を備えることを特徴とする光学素子。
【請求項２】
請求項１に記載の光学素子であって、
前記体積位相ホログラフィックグレーティングは、ゼラチン層の内部に形成された屈折率の周期構造を有することを特徴とする光学素子。
【請求項３】
請求項１または２に記載の光学素子であって、
前記回折格子部は、誘電体膜で構成されていることを特徴とする光学素子。
【請求項４】
請求項１から３の何れか一つに記載の光学素子と、
前記光入射面に対して前記光を照射する光源部を備え、
前記回折格子部から前記光の一部を外部に照射することを特徴とする光源装置。
【請求項５】
請求項４に記載の光源装置であって、
前記光源部は、複数の発光部が二次元的に配置された光フェーズドアレイであることを特徴とする光源装置。
【発明の詳細な説明】
【技術分野】
【０００１】
本発明は、光学素子および光源装置に関し、特に回折格子を用いた光学素子および光源装置に関する。
【背景技術】
【０００２】
従来から、車両内に各種情報を表示する装置として、アイコンを点灯表示する計器盤が用いられている。また、表示する情報量の増加とともに、計器盤に画像表示装置を埋め込むことや、計器盤全体を画像表示装置で構成することも提案されている。
【０００３】
しかし、計器盤は車両のフロントガラスより下方に位置しているため、計器盤に表示された情報を運転者が視認するには、運転中に視線を下方に移動させる必要があるため安全上好ましくない。そこで、フロントガラスに画像を投影して、運転者が車両の前方を視認したときに情報を読み取れるようにするヘッドアップディスプレイ（以下、ＨＵＤ：Ｈｅａｄ  Ｕｐ  Ｄｉｓｐｌａｙ）も提案されている（例えば、特許文献１を参照）。また、車両の自動運転技術や運転補助技術のために、レーザー光の照射と受光により車間距離の計測や障害物の検知を行うセンサ技術も発展してきている。
【０００４】
これらのヘッドアップディスプレイやセンサでは、レーザー光を広い範囲に照射するためにレンズ等の光学要素を用いている。しかし、レンズを用いる光学系では、広範囲に対してレーザー光を照射するためには複数枚のレンズを組み合わせることや大きなレンズ径が必要であり、光源装置の小型化を図ることが困難であった。
【０００５】
これらの課題を解決するために、光学レンズに代えて回折格子を用い、レーザー光の照射範囲を拡大する技術が提案されている。図３は従来の回折格子を用いた光源装置の概要を示す模式図である。図３に示すように、従来の光源装置は、導光部１と、回折格子部２と、光源部４を備えている。光源部４から照射した光は、導光部１の裏面側に入射して照射角度Φ０で導光部１内部を透過して、導光部１上に形成された回折格子部２に到達する。回折格子部２では、光は回折条件によって回折して照射角度Φ１で外部に照射される。光源部４から照射される光の波長と回折格子部２のピッチを適切に設計することで、出射光の照射角度Φ１を導光部１内での照射角度Φ０よりも大きくすることができる。
【先行技術文献】
【特許文献】
【０００６】
【特許文献１】特開２０１８−１１８６６９号公報
【発明の概要】
【発明が解決しようとする課題】
【０００７】
しかし図３に示した従来の光源装置では、外部に照射される光の照射角度Φ１は回折格子部２のピッチによってのみ決定されるため、光照射範囲の拡大には限界があった。
【０００８】
そこで本発明は、上記従来の問題点に鑑みなされたものであり、小型かつ軽量で光照射範囲を拡大することが可能な光学素子および光源装置を提供することを目的とする。
【課題を解決するための手段】
【０００９】
上記課題を解決するために、本発明の光学素子は、光が入射する光入射面と、前記光が到達する光取出面とを有する導光部と、前記光取出面上に設けられた体積位相ホログラフィックグレーティングと、前記体積位相ホログラフィックグレーティング上に設けられた回折格子部を備えることを特徴とする。
【００１０】
このような本発明の光学素子では、体積位相ホログラフィックグレーティングと回折格子部の組み合わせで重回折格子が構成される。これにより体積位相ホログラフィックグレーティングで光の照射角度を拡大し、さらに回折格子部で光の照射角度を拡大することができるため、小型かつ軽量で光照射範囲を拡大することが可能となる。
【００１１】
また、本発明の一態様では、前記体積位相ホログラフィックグレーティングは、ゼラチン層の内部に形成された屈折率の周期構造を有する。
【００１２】
また、本発明の一態様では、前記回折格子部は、誘電体膜で構成されている。
【００１３】
また、本発明の画像表示装置は、上記何れか一つの光学素子と、前記光入射面に対して前記光を照射する光源部を備え、前記回折格子部から前記光の一部を外部に照射することを特徴とする。
【００１４】
また、本発明の一態様では、前記光源部は、複数の発光部が二次元的に配置された光フェーズドアレイである。
【発明の効果】
【００１５】
本発明では、小型かつ軽量で光照射範囲を拡大することが可能な光学素子および光源装置を提供することができる。
【図面の簡単な説明】
【００１６】
【図１】第１実施形態における光学素子の構造を示す模式斜視図である。
【図２】光学素子を用いた光源装置１０の構成と光路を示す模式断面図である。
【図３】従来の回折格子を用いた光源装置の概要を示す模式図である。
【発明を実施するための形態】
【００１７】
（第１実施形態）
以下、本発明の実施の形態について、図面を参照して詳細に説明する。各図面に示される同一または同等の構成要素、部材、処理には、同一の符号を付すものとし、適宜重複した説明は省略する。なお図面は、光学素子および光源装置の構造を模式的に示したものであり、図中の寸法や角度は光学素子および光源装置１０における実寸を示すものではない。
【００１８】
図１は、本実施形態における光学素子の構造示す模式斜視図である。図１に示すように光学素子は、導光部１１と、回折格子部１２と、体積位相ホログラフィックグレーティング（ＶＰＨＧ：Ｖｏｌｕｍｅ  Ｐｈａｓｅ  Ｈｏｌｏｇｒａｐｈｉｃ  Ｇｒａｔｉｎｇｓ）１３を備えている。
【００１９】
導光部１１は、光を透過する材料で構成された略板状の部分であり、光入射面１１ａと、光取出面１１ｂを備えている。導光部１１のサイズは限定されないが、例えば幅１０ｍｍ、厚さ３ｍｍ程度の大きさが挙げられる。導光部１１を構成する材料は限定されないが、例えばＳｉＯ２を主成分とする屈折率１．５程度のガラスを用いることが好ましい。光入射面１１ａは、光学素子の外部に配置された光源からの光が入射する平坦面であり、光取出面１１ｂに対向している。光取出面１１ｂは、表面に体積位相ホログラフィックグレーティング１３が形成される平坦面であり、光入射面１１ａに対向している。
【００２０】
回折格子部１２は、体積位相ホログラフィックグレーティング１３上に形成された略板状の部分であり、表面には複数の凸部１２ａと凹部１２ｂが周期的に形成されて回折格子を構成している。
【００２１】
図１では回折格子部１２の凸部１２ａおよび凹部１２ｂが平行なストライプ状に延伸して形成された例を示したが、ストライプ状に限らず凸部１２ａと凹部１２ｂを二次元的に配置するとしてもよい。また、図１では回折格子部１２の凸部１２ａと凹部１２ｂとして断面が矩形状のものを示したが、断面形状は限定されず、スランテッドグレーティングやブレーズドグレーティングであってもよい。
【００２２】
回折格子部１２を構成する材料は限定されないが、体積位相ホログラフィックグレーティング１３との屈折率差が大きな誘電体材料を用いることが好ましく、例えばＴｉＯ２を主成分とする屈折率２．５程度の誘電体を用いることが好ましい。回折格子部１２のサイズは特に限定されないが、面内方向にも光を導波できる厚さを有することが好ましい。回折格子部１２は公知の方法で形成することができ、例えばナノインプリント技術、ＥＢＬ（Ｅｌｅｃｔｒｏｎ  Ｂｅａｍ  Ｌｉｔｈｏｇｒａｐｈｙ）技術等を用いることができる。
【００２３】
体積位相ホログラフィックグレーティング１３は、導光部１１の光取出面１１ｂ上に形成され、内部に屈折率の周期構造１３ａが三次元的に構成された層である。体積位相ホログラフィックグレーティング１３の表面上には回折格子部１２が形成されている。体積位相ホログラフィックグレーティング１３を構成する材料は特に限定されないが、感光性を有する材料を用いることが好ましく、例えば重クロム酸ゼラチン等の公知の材料を用いることができる。
【００２４】
体積位相ホログラフィックグレーティング１３の厚さは限定されないが、１０〜３０μｍ程度の厚さとすることが好ましい。これは、体積位相ホログラフィックグレーティング１３の作製波長をλとし、厚みをｔとし、ホログラム中で２光束がなす角をθとし、屈折率をｎとした際に、再成光の波長選択範囲はΔλ＝λ２／ｎｔ（１−ｃｏｓθ）で表わされることによる。例えば、再成光の波長選択範囲を小さくしてΔλ＝２０ｎｍ程度にするためには、λ＝５３２ｎｍ、ｎ＝１．５、θ＝９０°の条件ではｔ＝２４μｍ程度が適する。
【００２５】
図１に示した光学素子の製造方法例について説明する。はじめに基板準備工程で板状の導光部１１を用意し、次に堆積工程で導光部１１上にゼラチン膜を塗布した後に重クロム酸アンモニウム水溶液に浸漬して重クロム酸ゼラチン膜を形成する。次に、リソグラフィー工程で公知の干渉リソグラフィー技術を用いて重クロム酸ゼラチン膜の内部に三次元的な屈折率の周期構造１３ａを露光し、体積位相ホログラフィックグレーティング１３を形成する。
【００２６】
次に、誘電体形成工程で体積位相ホログラフィックグレーティング１３上にＴｉＯ２層を蒸着等で形成し、次に回折格子形成工程でＴｉＯ２層表面にＥＢＬ技術を用いて凸部１２ａと凹部１２ｂを形成し、回折格子部１２を形成する。最後に、ダイシング工程で所定サイズに切断して本実施形態の光学素子を得ることができる。図１では図示を省略したが、必要に応じて光学素子の側面にガラス等の保護膜を形成して、体積位相ホログラフィックグレーティング１３の側面を封止するとしてもよい。
【００２７】
図２は、光学素子を用いた光源装置１０の構成と光路を示す模式断面図である。図２に示すように、本実施形態の光源装置１０では、図１で示した光学素子の光入射面１１ａに対して光源部１４から光を照射する。光源部１４は、所定波長のコヒーレント光を照射する光源であれば限定されないが、レーザー光を照射する複数の発光部が二次元的に配置された光フェーズドアレイ（ＯＰＡ：Ｏｐｔｉｃａｌ  Ｐｈａｓｅｄ  Ａｒｒａｙ）を用いることが好ましい。
【００２８】
図２に示すように、光源部１４から出射したレーザー光は、導光部１１の光入射面１１ａに対して略垂直に入射し、導光部１１内部を照射角度Φ０で進行して光取出面１１ｂに到達する。光取出面１１ｂに到達した光は、体積位相ホログラフィックグレーティング１３および回折格子部１２を透過して照射角度Φ２で外部に照射される。このときレーザー光は、体積位相ホログラフィックグレーティング１３内における屈折率の周期構造１３ａによって回折された後にさらに回折格子部１２で回折される。これにより、回折格子部１２または体積位相ホログラフィックグレーティング１３を単独で用いる場合よりも照射角度Φ２を拡大することができる。
【００２９】
図２で示したように、回折格子部１２を透過する光は体積位相ホログラフィックグレーティング１３で回折された光であるため、体積位相ホログラフィックグレーティング１３での回折を前提として、回折格子部１２における凸部１２ａと凹部１２ｂを設計する必要がある。また、光源部１４から照射されるレーザー光が導光部１１に入射する角度は、回折格子部１２および体積位相ホログラフィックグレーティング１３の回折条件に適したものとする必要がある。
【００３０】
本実施形態の光学素子および光源装置１０では、回折格子部１２と体積位相ホログラフィックグレーティング１３を組み合わせた重回折格子を構成しているため、光学レンズやミラーを用いて照射角度を拡大するよりも小型化と軽量化を図ることができる。また、回折格子部１２および体積位相ホログラフィックグレーティング１３を用いることで、光学素子と光源部１４の焦点距離を設定せずに光照射範囲を拡大することが可能であり、設計自由度が向上する。
【００３１】
本願発明に係る光学素子としては、体積位相ホログラフィックグレーティング１３の上に回折格子部１２を形成する代わりに、追加の体積位相ホログラフィックグレーティング層を形成することも可能である。しかし、体積位相ホログラフィックグレーティング１３の上に追加の体積位相ホログラフィックグレーティング層を形成する場合には、両者間にエアーギャップが生じて光学特性が低下する可能性がある。
【００３２】
それに対して本実施形態の光学素子および光源装置１０では、体積位相ホログラフィックグレーティング１３上には誘電体を蒸着して回折格子部１２を形成するため、界面にエアーギャップが生じることを防止し光学特性の低下を抑制することができる。また、体積位相ホログラフィックグレーティング１３の形成には多くの工程数と作製時間が必要であるが、体積位相ホログラフィックグレーティング１３を１層だけ形成して回折格子部１２と組み合わせることで、製造工程の短縮化を図ることが可能となる。
【００３３】
また、ゼラチン等の材料で構成される体積位相ホログラフィックグレーティング１３の上面に誘電体で構成された回折格子部１２を形成しているため、体積位相ホログラフィックグレーティング１３と空気の接触を防止して保護することができる。ここで、光学素子の側面にもガラス等の保護膜を形成すると、回折格子部１２と保護膜によって体積位相ホログラフィックグレーティング１３を封止できるためさらに好ましい。
【００３４】
また、上述したように回折格子部１２は断面が矩形状の凸部１２ａおよび凹部１２ｂだけではなく、スランテッドグレーティングやブレーズドグレーティング、二次元回折格子を用いることも可能である。これにより、回折格子部１２の光学的な設計自由度が向上するとともに、光学素子および光源装置１０の光学特性を調整することも容易となる。
【００３５】
上述したように、本実施形態の光学素子および光源装置１０では、ミラーや光学レンズを用いるよりも小型かつ軽量で光照射範囲を拡大することが可能となる。
【００３６】
（第２実施形態）
次に、本発明の第２実施形態について説明する。第１実施形態と重複する内容は説明を省略する。図１では、光源部１４から入射した光が導光部１１内を照射角度Φ０で進む例を示したが、光源部１４からのレーザー光をレンズ等でコリメート光として光入射面１１ａに入射させるとしてもよい。この場合には照射角度Φ０＝０度となる。
【００３７】
導光部１１に入射する光をコリメート光とすることで、光源部１４に用いる光フェーズドアレイの面積を光学素子と同程度にして、単位面積当たりの光強度を高めることができる。
【００３８】
（第３実施形態）
次に、本発明の第３実施形態について説明する。第１実施形態と重複する内容は説明を省略する。第１実施形態では、導光部１１の裏面側を光入射面１１ａとして、光入射面１１ａに対して略垂直にレーザー光を入射した例を示したが、所定角度で傾斜した入射角度でレーザー光を光入射面１１ａに照射するとしてもよい。この場合には、体積位相ホログラフィックグレーティング１３内部に形成される屈折率の周期構造１３ａと、回折格子部１２に形成される凸部１２ａおよび凹部１２ｂは、それぞれ入射角に応じて適宜設計する必要がある。
【００３９】
また、図１では導光部１１の裏面側を光入射面１１ａとしたが、側面を光入射面１１ａとして、所定角度で傾斜した入射角度で光取出面１１ｂに対してレーザー光を到達させるとしてもよい。
【００４０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００４１】
１０…光源装置
１１…導光部
１１ａ…光入射面
１１ｂ…光取出面
１２…回折格子部
１２ａ…凸部
１２ｂ…凹部
１３…体積位相ホログラフィックグレーティング
１３ａ…屈折率の周期構造
１４…光源部
【図１】
2020181005.tif 000003
【図２】
2020181005.tif 000004
【図３】
2020181005.tif 000005